(57)【要約】  患者の歯面に対するアーチワイヤの装着作業性を向上するとともに、様々な太さのアーチワイヤを矯正力の損失なく装着できるブラケットを提供すること。  本実施形態に係る歯列矯正用ブラケット（１００）は、患者の歯列を矯正するために用いられ、歯列矯正用のアーチワイヤ（２０）を挿通させるワイヤホール（貫通孔）（４０Ａ）を備えたワイヤホルダ（４０）と、ワイヤホルダ（４０）を着脱可能に支持し、患者の歯面に貼着されるブラケッ トベース（６０）とを有する。
2017110831.tif 000002
【特許請求の範囲】
【請求項１】
患者の歯列を矯正するために用いられる歯列矯正用ブラケットにおいて、  歯列矯正用のアーチワイヤを挿通させる少なくとも一つの貫通孔を備えたワイヤホルダと、  前記ワイヤホルダを着脱可能に支持し、前記患者の歯面に貼着されるブラケットベースとを具備することを特徴とする歯列矯正用ブラケット。
【請求項２】
前記ワイヤホルダは、四角錐台形状であることを特徴とする請求項１記載の歯列矯正用ブラケット。
【請求項３】
前記ワイヤホルダの横断面形状は台形であることを特徴とする請求項２記載の歯列矯正用ブラケット。
【請求項４】
前記ブラケットベースには前記ワイヤホルダが嵌め込まれるホルダスロットが設けられ、  前記ワイヤホルダの側面には横方向に線状突起と溝部との一方が形成され、前記ブラケットベースの前記ホルダスロットの内面には横方向にわたって線状突起と溝部との他方が形成され、前記線状突起が前記溝部に嵌め込まれることにより、前記ワイヤホルダが前記ブラケットベースに結合されることを特徴とする請求項１記載の歯列矯正用ブラケット。
【請求項５】
前記ブラケットベースには前記ワイヤホルダが嵌め込まれるホルダスロットが設けられ、  前記ワイヤホルダを湾曲させ、前記ブラケットベースの前記ホルダスロットに対する前記ワイヤホルダの挿抜を促進するために、前記ワイヤホルダには裏面から表面に向かって少なくとも１本の切り込みが前記貫通孔と平行に形成されることを特徴とする請求項１記載の歯列矯正用ブラケット。
【請求項６】
前記ブラケットベースには前記ワイヤホルダが嵌め込まれるホルダスロットが設けられ、  前記ワイヤホルダの高さは前記ブラケットベースの前記ホルダスロットのホルダ収納部の深さと実質的に等価であることを特徴とする請求項１記載の歯列矯正用ブラケット。
【請求項７】
前記ワイヤホルダは他のワイヤホルダと弾性体により結合されてなることを特徴とする請求項１記載の歯列矯正用ブラケット。
【請求項８】
前記弾性体はゴム又はバネであることを特徴とする請求項７記載の歯列矯正用ブラケット。
【請求項９】
歯列矯正用のアーチワイヤを挿通させる少なくとも一つの貫通孔を備えたワイヤホルダとともに歯列矯正用ブラケットを構成するブラケットベースにおいて、  前記ワイヤホルダが表面側から嵌め込まれる四角錐台形状のホルダスロットを備え、患者の歯面に裏面が貼着されることを特徴とするブラケットベース。
【請求項１０】
ブラケットベースとともに歯列矯正用ブラケットを構成するワイヤホルダにおいて、  歯列矯正用のアーチワイヤを挿通させる少なくとも一つの貫通孔を備え、四角錐台形状を有することを特徴とするワイヤホルダ。
【発明の詳細な説明】
【技術分野】
【０００１】  本発明は、不整列歯や捻転歯の矯正に用いられる歯列矯正用ブラケットに関する。
【背景技術】
【０００２】  一般に、歯列矯正治療には、歯列矯正用ブラケットが用いられている。歯列矯正用ブラケットは、歯列矯正の対象とする患者の歯に取り付けられる。ブラケットには、矯正力を生じさせるためのアーチワイヤを装着するためのワイヤスロットが設けられている。アーチワイヤは、ブラケットのワイヤスロットに嵌め込まれ、結紮リングやゴムなどの結紮具を用いて結紮されることにより歯列矯正用ブラケットに固定される。【０００３】  これに対して、結紮作業が不要なセルフライゲーションブラケットと呼ばれるタイプの歯列矯正用ブラケットが知られている。セルフライゲーションブラケットには、例えば略Ｕ字形状のロック部材をスライドさせることでワイヤスロット内にアーチワイヤを固定し（特許文献１）、弾性ステンレス鋼製のシャッタを回転させてワイヤスロット内にアーチワイヤを固定することができる（特許文献２）。【０００４】  このように、セルフライゲーションブラケットでは、ロック部材やシャッタを移動／回転させる簡易な作業でアーチワイヤをブラケットに装着／脱着させることができるので、処置時間を短縮することができる。
【先行技術文献】
【特許文献】
【０００５】
【特許文献１】特許第４４４４４１０号公報
【特許文献２】特表２００１−５０３３０５号公報
【発明の概要】
【発明が解決しようとする課題】
【０００６】  これらセルフライゲーションブラケットではアーチワイヤを挿入するワイヤスロットの内寸は固定的である。一方、アーチワイヤの外寸は様々である。従ってワイヤスロットとアーチワイヤとの間に隙間が生じる事があり、さらにその隙間は、選択するアーチワイヤの太さに応じて変動する。ワイヤスロットとアーチワイヤとの間の隙間はワイヤトルクの損失を生じさせ、矯正力を低下させててしまう。【０００７】  目的は、患者の歯面に対するアーチワイヤの装着作業性を向上するとともに、様々な太さのアーチワイヤをトルクの損失を抑えながら装着できるブラケットを提供することにある。
【課題を解決するための手段】
【０００８】  本実施形態に係る歯列矯正用ブラケットは、患者の歯列を矯正するために用いられる歯列矯正用ブラケットにおいて、歯列矯正用のアーチワイヤを挿通させる少なくとも一つの貫通孔を備えたワイヤホルダと、前記ワイヤホルダを着脱可能に支持し、前記患者の歯面に貼着されるブラケットベースとを具備する。
【発明の効果】
【０００９】  本発明に係る歯列矯正用ブラケットでは、患者の歯に対するアーチワイヤの装着作業は、まずブラケットベースを患者の歯面に貼着し、その後、ブラケットベースに、ワイヤホルダを装着する。事前に、ワイヤホルダの貫通孔にアーチワイヤを挿入しておくことにより、ブラケットベースにワイヤホルダを嵌め込むだけで、アーチワイヤの装着作業は完了する。ブラケットを患者の歯面に貼着し、そのブラケットに長いアーチワイヤを装着するよりも、その作業性は向上することは理解されるであろう。アーチワイヤの形状や外寸に整合する貫通孔を備えたワイヤホルダを適宜選択的に使用することによりアーチワイヤのトルク損失を抑制することができる。また、様々なサイズの貫通孔のワイヤホルダを適宜使い分けることにより様々な寸法のアーチワイヤに対応可能である。それは設計したトルクを患者の歯面に伝達することができる。
【図面の簡単な説明】
【００１０】
【図１】図１は、本発明の一実施形態に係る基本構成を有する歯列矯正用ブラケットの外観を示す斜視図である。
【図２】図２は、図１に示す歯列矯正用ブラケットを構成するワイヤホルダとブラケットベースの外観を示す斜視図である。
【図３】図３は、図１に示す歯列矯正用ブラケットの正面図である。
【図４】図４は、図１に示す歯列矯正用ブラケットの下面図である。
【図５】図５は、図１に示す歯列矯正用ブラケットの下面図である。
【図６】図６は、ワイヤホルダの側面図である。
【図７】図７は、ワイヤホルダの図３中の断面線Ａ−Ａにおける断面図である。
【図８】図８は、ワイヤホルダの表面からの正面図である。
【図９】図９は、ワイヤホルダの上方の側面図である。
【図１０】図１０は、ワイヤホルダの下方の側面図である。
【図１１】図１１は、ワイヤホルダの右方の側面図である。
【図１２】図１２は、図８に示す断面線Ｂ−Ｂにおけるワイヤホルダの断面図である。
【図１３】図１３は、ホルダ固定ピンの外観を示す斜視図である。
【図１４】図１４は、ワイヤホルダをホルダスロットに装着する際のホルダ固定ピンの状態を示す図３に示す断面線Ａ−Ａにおける断面図である。
【図１５】図１５は、第１変形例に係る歯列矯正用ブラケットを構成するワイヤホルダとブラケットベースの外観を示す斜視図である。
【図１６】図１６は、図１５に示す歯列矯正用ブラケットの外観を示す斜視図である。
【図１７】図１７は、図１６における断面線Ｃ−Ｃにおける歯列矯正用ブラケットの断面図である。
【図１８】図１８は、第２変形例に係る歯列矯正用ブラケットを構成するワイヤホルダとブラケットベースの外観を示す斜視図である。
【図１９】図１９は、図１８に示す歯列矯正用ブラケットの外観を示す斜視図である。
【図２０】図２０は、図１９における断面線Ｄ−Ｄにおける歯列矯正用ブラケットの断面図である。
【図２１】図２１は、第３変形例に係る歯列矯正用ブラケットを構成するワイヤホルダとブラケットベースの外観を示す斜視図である。
【図２２】図２２は、図２１に示す歯列矯正用ブラケットの外観を示す斜視図である。
【図２３】図２３は、図２２における断面線Ｊ−Ｊにおける歯列矯正用ブラケットの断面図である。
【図２４】図２４は、第４変形例に係る歯列矯正用ブラケットを構成するワイヤホルダとブラケットベースとクリップの外観を示す斜視図である。
【図２５】図２５は、図２４に示す歯列矯正用ブラケットの外観を示す斜視図である。
【図２６】図２６は、図２５に示す歯列矯正用ブラケットの側面図である。
【図２７】図２７は、図２５に示す歯列矯正用ブラケットの正面図である。
【図２８】図２８は、第５変形例に係る歯列矯正用ブラケットを構成するワイヤホルダとブラケットベースの外観を示す斜視図である。
【図２９】図２９は、図２８に示す歯列矯正用ブラケットの外観を示す斜視図である。
【図３０】図３０は、第６変形例に係る歯列矯正用ブラケットを構成するワイヤホルダとブラケットベースの外観を示す斜視図である。
【図３１】図３１は、図３０に示す歯列矯正用ブラケットの外観を示す斜視図である。
【図３２】図３２は、図３１における断面線Ｌ−Ｌにおける歯列矯正用ブラケットの断面図である。
【図３３】図３３は、第７変形例に係る歯列矯正用ブラケットを構成するワイヤホルダ同士をゴムで結合したワイヤホルダ対の外観を示す斜視図である。
【図３４】図３４は、図３３のワイヤホルダ対をブラケットベースに装着した歯列矯正用ブラケットの外観を示す斜視図である。
【図３５】図３５は、図３４における断面線Ｍ−Ｍにおける歯列矯正用ブラケットの断面図である。
【図３６】図３６は、第７変形例に係る歯列矯正用ブラケットを構成するワイヤホルダとブラケットベースの外観を示す斜視図である。
【図３７】図３７は、図３６に示す歯列矯正用ブラケットの外観を示す斜視図である。
【図３８】図３８は、図３７における断面線Ｑ−Ｑにおける歯列矯正用ブラケットの断面図である。
【図３９】図３９は、図３７における断面線Ｑ−Ｑにおける歯列矯正用ブラケットの他の断面図である。
【発明を実施するための形態】
【００１１】  以下、本発明の実施形態に係る歯列矯正用ブラケットについて、図面を参照しながら説明する。図１は、本実施形態に係る基本構成を有する歯列矯正用ブラケット１００の外観を示す斜視図、図２は、図１に示す歯列矯正用ブラケット１００を構成するワイヤホルダ４０とブラケットベース６０の外観を示す斜視図、図３は、歯列矯正用ブラケット１００の正面図、図４は、歯列矯正用ブラケット１００の上面図、図５は、歯列矯正用ブラケット１００の下面図である。なお、以下の説明では、患者の歯面に貼り付けた歯列矯正用ブラケット１００の面を正面（表面）、患者の歯面に貼り付けられる歯列矯正用ブラケット１００の面を背面（裏面）、歯列矯正用ブラケット１００の側面のうち、後述するピンガイドホール６０Ａが設けられる面を上面、反対側の面を下面、正面から見て右側の面を右側面、正面から見て左側の面を左側面と定義する。
【００１２】  本実施形態における歯列矯正用ブラケット１００は、患者の歯列を矯正するために用いられるもので、セルフライゲーションブラケットの特徴を有する。本実施形態における歯列矯正用ブラケット１００は、ワイヤホルダ４０とブラケットベース６０とを有する。ワイヤホルダ４０は、歯列矯正用のアーチワイヤ２０を挿通させる少なくとも一つのワイヤホール（貫通孔）４０Ａを備える。ワイヤホール４０Ａの形状はアーチワイヤ２０の横断面形状と同じ多角形、典型的には四角形であって、ワイヤホール４０Ａの内寸はアーチワイヤ２０が挿通する程度にアーチワイヤ２０の外寸よりも僅かに大きい。それによりアーチワイヤ２０のトルクを損失少なく患者の歯面に伝達することが可能となる。  なおここでは、ワイヤホルダ４０は単一のワイヤホール４０Ａを備えるものとして説明する。なお、ワイヤホルダ４０に、同一又は異なる断面形状及び同一又は異なる断面寸法を有する複数のワイヤホール４０Ａを設けてもよい。また、歯列矯正用ブラケット１００は、ブラケットベース６０に装着されたワイヤホルダ４０を固定するための固定構造を有する。ブラケットベース６０は、ブラケットベース６０の表面側からワイヤホルダ４０を着脱する構造を備え、患者の歯面に裏面が専用接着剤を用いて貼着される。ワイヤホルダ４０及びブラケットベース６０は、例えばプラスチック（合成樹脂）、酸化ジルコニウム（ジルコニア）、あるいはセラミックにより形成され、好ましくは、審美性を良くするため、例えば透明あるいは患者の歯の色に近い色により形成される。また、ワイヤホルダ４０及びブラケットベース６０は、金銀パラジウム合金等の金属製であってもよい。さらに、ワイヤホルダ４０及びブラケットベース６０が互いに異なる素材、例えば、ワイヤホルダ４０がセラミック製、ブラケットベース６０が金属製等であってもよい。
【００１３】  本実施形態の最大の特徴は、歯列矯正用ブラケット１００を、ワイヤホルダ４０とブラケットベース６０とで別体で構成させたことにある。従来のブラケットは本実施形態のブラケットベース６０に相当する。従来のセルフライゲーションブラケットでは、ワイヤスロットの寸法が固定的であり、矯正期間中に随時変更されるアーチワイヤに応じてアーチワイヤとワイヤスロットとの間の隙間が変動していた。したがって、従来のセルフライゲーションブラケットを用いて、設計した矯正力を歯に与えるのは困難である。しかし、本実施形態では、ワイヤホール４０Ａのサイズや形状の異なる様々な種類のワイヤホルダ４０を用意しておき、それらを様々な種類のアーチワイヤ２０と組み合わせて使用することで、アーチワイヤ２０とワイヤホール４０Ａとの間の隙間を極小化し、設計したとおりの矯正力を歯に与えることができる。なお、矯正力とは、矯正治療において歯を移動させるための力であり、歯の移動様式には、傾斜移動、歯体移動、挺出、圧下、回転及びトルク等がある。本実施形態では、アーチワイヤ２０とワイヤホール４０Ａとの間の隙間を極小化できるため、複数種類の移動様式のうち歯のトルク移動に対して特に効果を発揮する。
【００１４】  さらに、従来であれば複数のブラケットを患者の歯面に固定する処置を完了させ、その後に患者の口腔内処置作業として、複数のブラケットに個々にアーチワイヤ２０を結紮リングやゴムなどの結紮具で順次結紮していく。結紮具で順次結紮してく作業は長時間に及び、それこそが患者にとって大きな負担となっていた。本実施形態では、複数のブラケットベース６０を患者の歯面に固定する処置を完了させる（この作業自体は従来と同等である）。その作業とは別工程で、アーチワイヤ２０を複数のワイヤホルダ４０のワイヤホール４０Ａに挿通させる。その作業自体は患者の口腔外で実施できる。最終的に、アーチワイヤ２０に通された複数のワイヤホルダ４０を複数のブラケットベース６０に順次装着していく作業が、患者の口腔内で実施される。六面体（ブロック体）としてのワイヤホルダ４０をそれに整合して形成されたブラケットベース６０の凹部（ホルダスロット）６０Ｆに嵌め込み、押し込むことでワイヤホルダ４０はブラケットベース６０に固定されるように構造されているので、ワイヤホルダ４０をブラケットベース６０に装着する作業は、ワイヤホルダ４０をブラケットベース６０のホルダスロット６０Ｆに嵌め込み、押し込むだけの簡易な作業であり、従来のような結紮リングやゴムなどの結紮具でワイヤそれ自体を順次結紮していく作業に比べて、格段に簡素であり、短時間で完了する。すなわち患者がもっとも負担である口腔内作業の作業時間を大幅に短縮することが可能となり、患者の負担を大幅に軽減することができる。換言すると、従来、患者の口腔内で行なっていた「ブラケットにアーチワイヤ２０を結紮リングやゴムなどの結紮具で順次結紮していく」作業を、本実施形態のように歯列矯正用ブラケット１００をワイヤホルダ４０とブラケットベース６０とで別体で構成させたことにより、口腔外作業と口腔内作業とに分割させることを実現しているものである。
【００１５】  以下ブラケットベース６０及びワイヤホルダ４０の構造について説明する。    図３に示すように、ブラケットベース６０の上面には、固定構造として、横方向のほぼ中央にピンガイドホール６０Ａが設けられ、装着されたワイヤホルダ４０を固定するためのホルダ固定ピン６０Ｂが保持される。図１では、ホルダ固定ピン６０Ｂがワイヤホルダ４０を固定するためにブラケットベース６０の内部に収容された状態を示す。ホルダ固定ピン６０Ｂは、例えばコイルバネや板バネ、ゴム管などの付勢手段によりホルダ固定ピン６０Ｂの先端がブラケットベース６０のホルダスロット６０Ｆに突出する方向に付勢されており、その先端がブラケットベース６０に収容されたワイヤホルダ４０のピンスロット４０Ｂに差し込まれて、ブラケットベース６０にワイヤホルダ４０が固定した状態を維持する。ホルダ固定ピン６０Ｂは、ブラケットベース６０から装着されたワイヤホルダ４０を外す場合に、図２に示すように、付勢に反してブラケットベース６０の内部から引き出すことができる。
【００１６】  ブラケットベース６０の上面には、図１、図２及び図４に示すように、裏面側の辺に沿って溝部６０Ｃが形成される。同様にして、ブラケットベース６０の下面には、図１、図２及び図５に示すように、裏面側の辺に沿って溝部６０Ｄが形成される。溝部６０Ｃ，６０Ｄは、例えば施術者が特殊なプライヤー工具を用いてブラケットベース６０を患者の歯に貼着する、あるいは外すなどの施術をする際に、ブラケットベース６０を保持し易くして、ブラケットベース６０の取り扱いを容易にするために設けられる。
【００１７】  ブラケットベース６０の表面側には、ワイヤホルダ４０を収容する凹状のホルダスロット（窪み）６０Ｆが形成される。ホルダスロット６０Ｆは、ワイヤホルダ４０の外形状に整合して形成され、ワイヤホルダ４０が装着された時に、ワイヤホルダ４０と密着されるようにしている。これにより、ブラケットベース６０は、ホルダスロット６０Ｆに装着されたワイヤホルダ４０を安定した状態で保持することができる。また、ホルダスロット６０Ｆは、ワイヤホルダ４０の形状に合わせて、ワイヤホルダ４０の裏面と相対する奥面の面積を開口部の面積より小さくになるように加工されている。すなわち、ワイヤホルダ４０の裏面のサイズをホルダスロット６０Ｆの開口部よりも小さくすることで、ワイヤホルダ４０を装着する際に、ワイヤホルダ４０をブラケットベース６０のホルダスロット６０Ｆに対して挿入しやすく、且つ位置決めし易くしている。これにより、ワイヤホルダ４０をブラケットベース６０に装着させる作業を容易にすることができる。
【００１８】  また、ブラケットベース６０の両側面には、アーチワイヤ２０が挿通された状態のワイヤホルダ４０をホルダスロット６０Ｆに装着する際に、アーチワイヤ２０を通すための凹上のワイヤガイド６０Ｅが設けられる。ワイヤガイド６０Ｅの幅は一般的なアーチワイヤ２０の最大幅より広い。図６は、ワイヤホルダ４０の側面図、図７は、ワイヤホルダ４０の図３中のＡ−Ａ線における断面図である。ワイヤガイド６０Ｅは、図１、図６に示すように、ワイヤホルダ４０に設けられたワイヤホール４０Ａの位置に合わせて、表面側からワイヤホルダ４０の装着時のアーチワイヤ２０の位置まで形成されている。ワイヤガイド６０Ｅの上下方向の幅は、ワイヤホール４０Ａに装着された状態のアーチワイヤ２０の高さ方向より若干広めに形成される。また、ブラケットベース６０に設けられるホルダスロット６０Ｆは、図７に示すように、開口部の高さ方向の幅が奥面の高さ方向の幅より大きくなっている。ホルダスロット６０Ｆの横断面は、奥側から表面側に向かって拡がるよう、換言すると奥に向かって細くなるよう台形である。典型的には直角台形であるが、等脚台形であってもよい。直角台形であれば、挿入エラーを認識しやすい利点とともに、直方体ブロックからの切り出しが比較的容易である。このホルダスロット６０Ｆの形状はワイヤホルダ４０の形状に整合している。
【００１９】  図８〜図１２は、ワイヤホルダ４０の外観を示す図であり、図８は、ワイヤホルダ４０の表面からの正面図、図９は、ワイヤホルダ４０の上面図、図１０は、ワイヤホルダ４０の下面図、図１１は、ワイヤホルダ４０の側面図、図１２は、図８に示すＢ−Ｂ線におけるワイヤホルダ４０の横断面図である。
【００２０】  図２に示したようにワイヤホルダ４０は四角錐台形状である。ワイヤホルダ４０の表面と裏面（奥の面）とが平行であり、表面より裏面が小さい。そしてワイヤホルダ４０の表面と裏面ともに、一方の脚と下底との内角が直角である直角台形を示している。つまり、ワイヤホルダ４０の表面は、図８に示すように上底と下底が平行であり、一方の脚と下底との内角が直角である直角台形である。図９、図１０に示すように、ワイヤホルダ４０の上面と下面との一方が直角台形であり、他方が矩形である。図１１及び図１２に示すように、ワイヤホルダ４０の側面形状及び横断形状も直角台形である。なお、ワイヤホルダ５０の表面は、上底と下底が平行の等脚台形でもよい。同様に、ワイヤホルダ４０の側面形状及び表面形状も等脚台形であってもよい。
【００２１】  ワイヤホルダ４０の直角台形の表面形状はワイヤホルダ４０の上下の向きを容易に視認できるので、アーチワイヤをワイヤホルダ４０のワイヤホール４０Ａに通す作業に際してワイヤホルダ４０の上下の向きを誤る事態を容易に回避できる効果がある。しかも一の内角が直角を示す直角台形であるので加工性が良く、等脚台形の場合に比べて製造コストを低減することが期待できる。
【００２２】  ワイヤホルダ４０を表側を広く奥側を細くした四角錐台形状としたことでワイヤホルダ４０をブラケットベース６０のホルダスロット６０Ｆに挿入する処置を容易にする効果があり、しかも上下の向きを誤って挿入する事態を確実に回避できる。
【００２３】  換言すると、ワイヤホルダ４０の表面の幅を、ワイヤホルダ４０の裏面の幅より狭くするようにしても良い。すなわち、ワイヤホルダ４０の裏面のサイズをホルダスロット６０Ｆの開口部よりも、高さ方向だけでなく幅方向についても小さくすることで、ワイヤホルダ４０を装着する際に、ワイヤホルダ４０をブラケットベース６０のホルダスロット６０Ｆに対して、さらに位置決めし易くすることが可能である。この場合、ブラケットベース６０のホルダスロット６０Ｆは、ワイヤホルダ４０の外形状に合わせて形成されるものとする。
【００２４】  ワイヤホルダ４０の上面の中央近傍には、固定構造として、ピンスロット４０Ｂが設けられる。ピンスロット４０Ｂは、ワイヤホルダ４０がブラケットベース６０に装着された場合にピンガイドホール６０Ａと連通され、ホルダ固定ピン６０Ｂの先端部が挿入される。ホルダ固定ピン６０Ｂは付勢されているので、ワイヤホルダ４０をブラケットベース６０のホルダスロット６０Ｆに押し込む過程で、ホルダ固定ピン６０Ｂの先端がピンスロット４０Ｂに自動的に挿入される。歯科医師はホルダ固定ピン６０Ｂの先端がピンスロット４０Ｂに挿入されることに伴うクリック感、音によりワイヤホルダ４０がブラケットベース６０に固定されたことを確認する事が可能である。
【００２５】  図１３は、ホルダ固定ピン６０Ｂの外観を示す斜視図である。図１３に示すように、ホルダ固定ピン６０Ｂには、一方の端部近傍にフックホール６０Ｂａが設けられ、他方の端部（先端部）近傍に傾斜面６０Ｂｂが形成される。
【００２６】  フックホール６０Ｂａは、ブラケットベース６０（ピンガイドホール６０Ａ）の内部に収容された状態のホルダ固定ピン６０Ｂを引き出す際に、フックを引っ掛けるために用いられる。なお、ホルダ固定ピン６０Ｂのフックホール６０Ｂａが設けられた面と、ピンガイドホール６０Ａの内面との間に、フックを挿入可能な空隙が設けられる。ホルダ固定ピン６０Ｂの傾斜面６０Ｂｂは、アーチワイヤ２０をホルダスロット６０Ｆに装着する際に、アーチワイヤ２０との接触によりホルダ固定ピン６０Ｂを押し上げる（ブラケットベース６０の内部から引き出される）ように作用するために設けられている。
【００２７】  図１４（ａ）、図１４（ｂ）及び図１４（ｃ）は、ワイヤホルダ４０をホルダスロット６０Ｆに装着する際のホルダ固定ピン６０Ｂの状態を示す図３に示すＡ−Ａ線における断面図である。図１４（ａ）に示すように、ホルダ固定ピン６０Ｂは、ピンガイドホール６０Ａの内部に収容された弾性部材６０Ｇによって、ブラケットベース６０の内部に収容される方向に付勢されている。また、ホルダ固定ピン６０Ｂの傾斜面６０Ｂｂは、ホルダスロット６０Ｆの開口部に向けて装着されている。従って、ホルダ固定ピン６０Ｂの傾斜面６０Ｂｂは、ホルダスロット６０Ｆに突出した状態にある。
【００２８】  ワイヤホルダ４０がホルダスロット６０Ｆに挿入されると、図１４（ｂ）に示すように、ワイヤホルダ４０の裏面と上面との角部４１Ｃが傾斜面６０Ｂｂと接触する。このため、ホルダ固定ピン６０Ｂが、弾性部材６０Ｇによる付勢に反して、図１４（ｂ）中の矢印の方向に押し上げられる。なお、ワイヤホルダ４０の裏面と上面との角部４１Ｃを面取りすることで、傾斜面６０Ｂｂとの接触によるホルダ固定ピン６０Ｂの押し上げを滑らかにすることが可能である。
【００２９】  そして、図１４（ｂ）に示すように、ワイヤホルダ４０がホルダスロット６０Ｆに完全に装着された状態となると、ピンガイドホール６０Ａとピンスロット４０Ｂとが連通した状態となるため、押し上げられていたホルダ固定ピン６０Ｂの先端部がピンスロット４０Ｂに挿入される。ピンスロット４０Ｂは、図１４（ａ）〜（ｃ）に示すように、裏面側の面がホルダ固定ピン６０Ｂの挿入方向と同じ、すなわち上面から垂直となるように形成されている。このため、ホルダ固定ピン６０Ｂは、先端部がピンスロット４０Ｂに挿入されることで、ブラケットベース６０に収容されたワイヤホルダ４０に係止して固定した状態を維持することができる。
【００３０】  なお、前述した説明では、ホルダ固定ピン６０Ｂは、弾性部材６０Ｇによりブラケットベース６０の内部に収容される方向に付勢されるとしているが、ホルダ固定ピン６０Ｂとピンガイドホール６０Ａとの摩擦係数を高くするなどして、容易に摺動されないようにホルダ固定ピン６０Ｂをピンガイドホール６０Ａにより保持させることで弾性部材６０Ｇを省くことが可能である。この場合、ワイヤホルダ４０のホルダスロット６０Ｆへの挿入時に、前述したようにホルダ固定ピン６０Ｂが押し上げられると、ホルダ固定ピン６０Ｂが押し上げられた状態のままとなるが、ワイヤホルダ４０の装着完了時に、ホルダ固定ピン６０Ｂの上端部を押し下げるだけで簡単にワイヤホルダ４０を固定することが可能である。
【００３１】  本実施形態の歯列矯正用ブラケット１００に装着されるアーチワイヤ２０は、例えば図１及び図２に示すように、横断面形状を長方形とする。なお、アーチワイヤ２０の横断面形状を正方形、あるいは六角形のような多角形、さらに楕円、円形としても良い。それに応じて様々な形状のワイヤホール４０Ａを備えた多種類のワイヤホルダ４０が用意される。
【００３２】  ワイヤホルダ４０に設けられたワイヤホール４０Ａの開口部は、アーチワイヤ２０を挿通可能なサイズ及び形状に形成される。本実施形態における歯列矯正用ブラケット１００は、セルフライゲーションブラケットの特徴を有しており、ワイヤホルダ４０によりアーチワイヤ２０を完全に固定しない。従って、ワイヤホール４０Ａの開口部のサイズは、基本的にアーチワイヤ２０の横断面よりも小さくなる。なお、歯列矯正用ブラケット１００を取り付けた歯によっては、ワイヤホール４０Ａにおいてアーチワイヤ２０を固定することも可能である。
【００３３】  アーチワイヤ２０を歯列矯正用ブラケット１００に装着する場合、事前に、アーチワイヤ２０をワイヤホルダ４０のワイヤホール４０Ａに挿通させた状態にして、ワイヤホルダ４０を前述したようにホルダスロット６０Ｆに装着する。通常、歯列矯正治療をする際には複数の歯に歯列矯正用ブラケット１００を取り付け、これら複数の歯列矯正用ブラケット１００に対して、アーチワイヤ２０を取り付ける必要がある。本実施形態における歯列矯正用ブラケット１００の場合、複数の歯列矯正用ブラケット１００のそれぞれに装着する複数のワイヤホルダ４０にアーチワイヤ２０を挿通させた後に、患者に対して施術することができる。すなわち、患者に対する施術としては、複数のワイヤホルダ４０を対応するブラケットベース６０に対して、それぞれ位置決めしてホルダスロット６０Ｆに挿入するだけで良い。従って、ワイヤホルダ４０（アーチワイヤ２０）のブラケットベース６０の装着が容易であるため、施術の時間を短縮することができる。
【００３４】  本実施形態によれば、必要な矯正力に応じて様々な太さのアーチワイヤを使い分けるとき、そのアーチワイヤの太さに整合する内寸のワイヤホールを備えたワイヤホルダを様々なワイヤホールの内寸の異なる複数種類のワイヤホルダから選択して使用することができる。それによりアーチワイヤとワイヤホールとの間に隙間を解消させて、矯正力の損失を解消する事ができる。
【００３５】  また、図２、図１１、図１２において、ワイヤホルダ４０のワイヤホール４０Ａは、アーチワイヤ２０の横断面形状に合わせて開口面を長方形にして、長辺が垂直（ワイヤホルダ４０の裏面に対して平行）となるように形成しているが、開口面の長方形を傾斜させた状態で形成しても良い。すなわち、ワイヤホール４０Ａの向きを変えることにより、アーチワイヤ２０により加えられる矯正力を調整することが可能である。前述したように、アーチワイヤ２０の向きが異なる複数種のワイヤホルダ４０を用意しておき、歯列矯正治療の段階や治療対象とする歯に応じてワイヤホルダ４０を選択することで、矯正力を調整することが可能である。
【００３６】  このように、本実施形態におけるワイヤホルダ４０は、アーチワイヤ２０の歯列矯正用ブラケット１００への装着を簡単にするとともに、矯正力の調整に使用することが可能となる。
【００３７】  （第１変形例）    次に、本実施形態における第１変形例に係る歯列矯正用ブラケット１０１について、図１５、図１６、図１７を参照して説明する。図１５は、第１変形例に係る歯列矯正用ブラケット１０１を構成するワイヤホルダ４１とブラケットベース６１の外観を示す斜視図、図１６は、歯列矯正用ブラケット１０１の外観を示す斜視図、図１７は、図１６におけるＣ−Ｃ線における歯列矯正用ブラケット１０１の断面図である。なお、図１〜図１４に示す基本構成と同じ構成部分については、同じ名称を付して説明を省略する。
【００３８】  第１変形例における歯列矯正用ブラケット１０１は、ワイヤホルダ４１とブラケットベース６１とを有する。ワイヤホルダ４１は、歯列矯正用のアーチワイヤ２０を挿通させるワイヤホール４１Ａを備える。ブラケットベース６１の上面と下面のそれぞれには、ブラケットベース６１に装着されたワイヤホルダ４１を固定するための固定構造として、図１５に示すように、横方向のほぼ中央の前面近傍に係止突起６１Ｂａ，６１Ｂｂが設けられる（係止突起６１Ｂｂは図１７に示す）。また、ブラケットベース６１には、溝部６１Ｃ，６１Ｄ、ワイヤガイド６１Ｅ、ホルダスロット６１Ｆが設けられる。
【００３９】  一方、ワイヤホルダ４１の前面側には、ブラケットカバー４１Ｃが形成される。ブラケットカバー４１Ｃは、ブラケットベース６１の前面全体を覆うことができるように、ブラケットベース６１の前面の縦横のサイズとほぼ同じに形成される。ブラケットカバー４１Ｃは、審美性を良くするため、例えば透明あるいは患者の歯の色に近い色により形成される。ブラケットカバー４１Ｃの上端と下端には、それぞれ裏面（ブラケットベース６１）側に延出された延出部４１Ｄ，４１Ｅが形成される。延出部４１Ｄ，４１Ｅは、ワイヤホルダ４１がブラケットベース６１は装着された場合に、図１６及び図１７に示すように、ブラケットベース６１の上面と下面のそれぞれに密着されるように形成される。延出部４１Ｄ，４１Ｅの幅方向のほぼ中央には、ワイヤホルダ４１がブラケットベース６１は装着された場合に、ブラケットベース６１の係止突起６１Ｂａ，６１Ｂｂを係止するための固定機構として取付ホール４１Ｂａ，４１Ｂｂが設けられる。取付ホール４１Ｂａ，４１Ｂｂは、ワイヤホルダ４１がブラケットベース６１に装着されると、それぞれ係止突起６１Ｂａ，６１Ｂｂが貫通される。これにより、ブラケットベース６１に装着されたワイヤホルダ４１を固定する。
【００４０】  第１変形例のワイヤホルダ４１は、弾性（可撓性）を有するように、例えばプラスチック（合成樹脂）により形成する。すなわち、延出部４１Ｄを上方向、延出部４１Ｅを下方向に力を加えることで、延出部４１Ｄ，４１Ｅの間が広がるようにする。    ワイヤホルダ４１をブラケットベース６１に装着する場合には、延出部４１Ｄ，４１Ｅの間を広げた状態にしてワイヤホルダ４１をホルダスロット６１Ｆに挿入させ、装着が完了した後に元に戻す。これにより、係止突起６１Ｂａ，６１Ｂｂがそれぞれ取付ホール４１Ｂａ，４１Ｂｂに嵌合される。
【００４１】  ワイヤホルダ４１をブラケットベース６１から取り外す場合には、同様にして、延出部４１Ｄ，４１Ｅの間を広げた状態にして、ワイヤホルダ４１をホルダスロット６１Ｆから引き出すことで、係止突起６１Ｂａ，６１Ｂｂと取付ホール４１Ｂａ，４１Ｂｂとによる固定状態を外すことができる。
【００４２】  なお、図１５〜図１７では、ブラケットベース６１とワイヤホルダ４１には、上面と下面の２箇所に固定構造が形成されているが、装着されたワイヤホルダ４１の固定状態を維持することが可能であれば、１箇所に固定構造を設けるだけでも良い。また、図１５及び図１７では、係止突起６１Ｂａ，６１Ｂｂは、ブラケットベース６１から垂直方向に伸びる、ほぼ直方体に形成されているが、前面側（ワイヤホルダ４１が装着される側）に斜面を形成するようにしても良い。これにより、ワイヤホルダ４１をブラケットベース６１に装着させる方向に移動させて、延出部４１Ｄ，４１Ｅの端部を係止突起６１Ｂａ，６１Ｂｂの斜面部に接触させた後、さらに移動させることで延出部４１Ｄ，４１Ｅを斜面部に沿って広げさせることができる。ワイヤホルダ４１が完全に装着された位置まで押し込まれると、取付ホール４１Ｂａ，４１Ｂｂに係止突起６１Ｂａ，６１Ｂｂが貫通し、延出部４１Ｄ，４１Ｅがもとの状態に戻る。そして、ワイヤホルダ４１とブラケットベース６１とが固定された状態になる。従って、ワイヤホルダ４１をブラケットベース６１に装着させる際に、予め延出部４１Ｄ，４１Ｅの間を広げるための作業をすることなく、ワイヤホルダ４１をブラケットベース６１に装着する方向に押し込むだけで、簡単にワイヤホルダ４１をブラケットベース６１に装着して固定状態にすることができる。
【００４３】  このように、第１変形例の歯列矯正用ブラケット１０１は、ワイヤホルダ４１を用いることにより前述した基本構成の歯列矯正用ブラケット１００と同様の作用効果を有する。さらに、歯列矯正用ブラケット１０１は、ワイヤホルダ４１をブラケットベース６１に装着した場合に、ブラケットベース６１の前面全体がブラケットカバー４１Ｃによって覆われるため、ブラケットカバー４１Ｃを目立ちにくい色等により形成することで、歯列矯正用ブラケット１０１を正面から見た時の審美性の向上を図ることができる。
【００４４】  （第２変形例）    次に、本発明の第２変形例に係る歯列矯正用ブラケット１０２について、図１８、図１９、図２０を参照して説明する。図１８は、第２変形例に係る歯列矯正用ブラケット１０２を構成するワイヤホルダ４２とブラケットベース６２の外観を示す斜視図、図１９は、歯列矯正用ブラケット１０２の外観を示す斜視図、図２０（ａ）は、図１９におけるＤ−Ｄ線における歯列矯正用ブラケット１０２の断面図である。また、図２０（ｂ）は、図２０（ａ）の枠線Ａの拡大図である。図２０（ｃ）、図２０（ｄ）は、図２０（ｂ）の係止突起６２Ｂａの他の形状を示す拡大図である。なお、図１〜図１４に示す基本構成と同じ構成部分については、同じ名称を付して説明を省略する。
【００４５】  第２変形例における歯列矯正用ブラケット１０２は、ワイヤホルダ４２とブラケットベース６２とを有する。ワイヤホルダ４２は、歯列矯正用のアーチワイヤ２０を挿通させるワイヤホール４２Ａを備える。ブラケットベース６２には、ブラケットベース６２に装着されたワイヤホルダ４２を固定するための固定構造として、図１８及び図２０（ａ）に示すように、ホルダスロット６２Ｆの内側の上面と下面のそれぞれに線状の係止突起（線状突起）６２Ｂａ，６２Ｂｂが設けられる。係止突起６２Ｂａ，６２Ｂｂは、例えばホルダスロット６２Ｆの内側の奥行き方向の何れかの位置（例えばほぼ中央の位置）に、ホルダスロット６２Ｆの横方向全体に渡って形成される。なお、係止突起６２Ｂａ，６２Ｂｂは、ホルダスロット６２Ｆの内側の横方向の一部に形成されるようにしてもよい。係止突起６２Ｂａ，６２Ｂｂは、典型的にはホルダスロット６２Ｆの同一深度、換言するとホルダスロット６２Ｆの底面から同一の高さに形成される。もちろん係止突起６２Ｂａ，６２Ｂｂは、ホルダスロット６２Ｆの異なる深度、換言するとホルダスロット６２Ｆの底面から異なる高さに互い違いに形成されるようにしてもよい。
【００４６】  係止突起６２Ｂａ，６２Ｂｂをホルダスロット６２Ｆの同一深度に設ける場合、係止突起６２Ｂａ，６２Ｂｂの頂点間距離（間隙距離）は、ワイヤホルダ４２の先端面の上辺と下辺との距離、つまり高さよりも若干長く、ワイヤホルダ４２をホルダスロット６２Ｆに挿入する際には係止突起６２Ｂａ，６２Ｂｂがワイヤホルダ４２の先端面に緩衝することなく挿入することができるようになっている。
【００４７】  図２０（ｂ）に示すように、係止突起６２Ｂａ，６２Ｂｂは、断面二等辺三角形状の線状突起であり、その表面はホルダスロット６２Ｆの深度方向に対して内側に傾斜している。また、ブラケットベース６２には、溝部６２Ｃ，６２Ｄ、ワイヤガイド６２Ｅ、ホルダスロット６２Ｆが設けられる。さらに、ブラケットベース６２には、ホルダスロット６２Ｆが形成された範囲の上面側と下面側の表面の一部が延出されて延出部６２Ｇａ，６２Ｇｂが形成される。延出部６２Ｇａ，６２Ｇｂは、図１９に示すように、ワイヤホルダ４２がブラケットベース６２に装着された状態の時に、ワイヤホルダ４２の表面よりも僅かに突出するように形成される。
【００４８】  一方、ワイヤホルダ４２の上面と下面のそれぞれには、ワイヤホルダ４２がブラケットベース６２に装着された場合に、ブラケットベース６２の係止突起６２Ｂａ，６２Ｂｂを係止するための固定機構として、横方向全体に渡って取付スロット（取付溝）４２Ｂａ，４２Ｂｂが設けられる。なお、取付スロット４２Ｂａ，４２Ｂｂは、ワイヤホルダ４２の横方向の一部にだけ設けられるようにしてもよい。取付スロット４２Ｂａ，４２Ｂｂは、ワイヤホルダ４２がブラケットベース６２に装着されると、それぞれホルダスロット６２Ｆの内側で係止突起６２Ｂａ，６２Ｂｂが挿入される。これにより、ブラケットベース６２に装着されたワイヤホルダ４２を固定する。
【００４９】  第２変形例のブラケットベース６２は、弾性（可撓性）を有するように、例えばプラスチック（合成樹脂）により形成する。すなわち、ワイヤホルダ４２をブラケットベース６２のホルダスロット６２Ｆに挿入することで、ブラケットベース６２のホルダスロット６２Ｆが押し広げられて変形できるようにする。ブラケットベース６２の両側面には、ワイヤガイド６２Ｅが設けられているため、ホルダスロット６２Ｆを上下方向に広げやすくなっている。
【００５０】  第２変形例の歯列矯正用ブラケット１０２において、ワイヤホルダ４２のブラケットベース６２に対する装着／脱着は、ブラケットベース６２の変形、具体的には開口を拡大するような外向きの湾曲により実現される。ワイヤホルダ４２をブラケットベース６２に装着する場合には、ワイヤホルダ４２をホルダスロット６２Ｆに挿入して、ホルダスロット６２Ｆの内面に圧接させることでブラケットベース６２を変形させる。ワイヤホルダ４２を、係止突起６２Ｂａ，６２Ｂｂに引っかけることなく、ホルダスロット６２Ｆに圧接して挿入することは、係止突起６２Ｂａ，６２Ｂｂの表面がワイヤホルダ４２をホルダスロット６２Ｆに挿入する方向に対して傾斜していることにより実現される。そのため、係止突起６２Ｂａ，６２Ｂｂの断面形状は二等辺三角形状に限定されない。
【００５１】  例えば、図２０（ｃ）に示すように、係止突起６２Ｂａ，６２Ｂｂの断面形状は、底角が不等の三角形状であってもよい。係止突起６２Ｂａ，６２Ｂｂは、ホルダスロット６２Ｆの深度方向に対して傾斜が緩やかな面がホルダスロット６２Ｆの開口を向き、傾斜が急な面がホルダスロット６２Ｆの底面を向くように形成される。ワイヤホルダ４２は、傾斜が緩やかな面に沿って変形しながらホルダスロット６２Ｆに装着され、傾斜が急な面に沿って変形しながらホルダスロット６２Ｆから外される。したがって、ワイヤホルダ４２を取り外すときに必要な単位距離あたりのワイヤホルダ４２の変形量は、ワイヤホルダ４２を装着するときのそれよりも大きい。つまり、ワイヤホルダ４２をホルダスロット６２Ｆから外すときに必要な外力は、ワイヤホルダ４２をホルダスロット６２Ｆに装着するときの外力よりも大きい。これにより、係止突起６２Ｂａ，６２Ｂｂの断面形状が二等辺三角形状の場合に比べて、ワイヤホルダ４２をブラケットベース６２に装着しやすく、ワイヤホルダ４２がブラケットベース６２から脱落しにくい。同様に、図２０（ｄ）に示すように、係止突起６２Ｂａ，６２Ｂｂの断面形状は、直角三角形状であってもよい。この場合、係止突起６２Ｂａ，６２Ｂｂは、その斜面がホルダスロット６２Ｆの開口を向くように形成される。なお、係止突起６２Ｂａ，６２Ｂｂの断面形状は三角形状に限定されず、例えば円弧形状であってもよい。
【００５２】  ワイヤホルダ４２を押し込むことで最奥の装着位置に到達すると、ホルダスロット６２Ｆに設けられた係止突起６２Ｂａ，６２Ｂｂがそれぞれワイヤホルダ４２の取付スロット４２Ｂａ，４２Ｂｂに挿入され、ワイヤホルダ４２とブラケットベース６２とを固定状態にする。また、ワイヤホルダ４２をブラケットベース６２から取り外す場合には、延出部６２Ｇａ，６２Ｇｂの間を広げた状態にして、ワイヤホルダ４２をホルダスロット６２Ｆから引き出すことで、係止突起６２Ｂａ，６２Ｂｂと取付スロット４２Ｂａ，４２Ｂｂとによる固定状態を外すことができる。
【００５３】  なお、図１８では、係止突起６２Ｂａ，６２Ｂｂは、ホルダスロット６２Ｆの横方向全体に渡って形成されるとしているが、横方向の一部に設けられていても良いし、ワイヤホルダ４２に設けられる固定構造と係合可能な形状であれば他の形状であっても良い。
【００５４】  また、ブラケットベース６２が弾性（可撓性）を有するように形成するとしているが、ブラケットベース６２の外形を変形しないように構成し、係止突起６２Ｂａ，６２Ｂｂのみを変形可能に形成するようにしても良い。これにより、患者の歯に取り付けられた状態のブラケットベース６２に負荷を与えないようにすることができる。
【００５５】  このように、第２変形例の歯列矯正用ブラケット１０２は、ワイヤホルダ４２を用いることにより、前述した基本構成の歯列矯正用ブラケット１００と同様の作用効果を有する。さらに、歯列矯正用ブラケット１０２は、ワイヤホルダ４２の挿入によりブラケットベース６２を変形させて装着させることができるので、ワイヤホルダ４２の挿入前にブラケットベース６２を変形させた状態で維持する必要がなくワイヤホルダ４２の装着を簡単にすることができる。
【００５６】  なお、上述の説明では、ワイヤホルダ４２のホルダスロット６２Ｆに係止突起（線状突起）６２Ｂａ，６２Ｂｂを設け、それが嵌め込まれる取付スロット（取付溝）４２Ｂａ，４２Ｂｂをワイヤホルダ４２に設けたが、製造上の簡易さ及び歩留まり向上のために、ワイヤホルダ４２のホルダスロット６２Ｆに取付スロット（取付溝）４２Ｂａ，４２Ｂｂを設け、それに嵌め込まれる係止突起（線状突起）６２Ｂａ，６２Ｂｂをワイヤホルダ４２に設けるようにしてもよい。ワイヤホルダのホルダスロットに取付スロット（取付溝）を設け、それに嵌め込まれる係止突起（線状突起）をワイヤホルダに設けるようにしてもよいことは、以下の説明でも同様である。
【００５７】  （第３変形例）    次に、本発明の第３変形例に係る歯列矯正用ブラケット１０７について、図２１、図２２、図２３を参照して説明する。図２１は、第３変形例に係る歯列矯正用ブラケット１０７を構成するワイヤホルダ４７とブラケットベース６７の外観を示す斜視図、図２２は、歯列矯正用ブラケット１０７の外観を示す斜視図、図２３は、図２２におけるＪ−Ｊ線における歯列矯正用ブラケット１０７の断面図である。なお、図１〜図１４に示す基本構成と同じ構成部分については、同じ名称を付して説明を省略する。また、第３変形例の歯列矯正用ブラケット１０７は、基本構成と異なる固定構造を設けたもので、その他については基本的に歯列矯正用ブラケット１００と同様の構成を有する。
【００５８】  第３変形例における歯列矯正用ブラケット１０７は、ワイヤホルダ４７とブラケットベース６７とを有する。ワイヤホルダ４７は、歯列矯正用のアーチワイヤ２０を挿通させるワイヤホール４７Ａを備える。また、ブラケットベース６７には、溝部６７Ｃ，６７Ｄ、ワイヤガイド６７Ｅ、ホルダスロット６７Ｆが設けられる。さらに、ブラケットベース６７には、固定構造として、クリップ８１が設けられる。
【００５９】  クリップ８１は、図２３に示すように、断面形状が略Ｕ字状をしており、例えば金属などの弾性変形可能な部材により形成される。クリップ８１の一方の端部は、ブラケットベース６７の表面に延出される。クリップ８１の一方の端部の近傍には、クリップ８１に対する作業時にフックを引っ掛けるために用いるフックホール８１Ａが設けられる。また、クリップ８１の他方の端部は、ブラケットベース６７の下面に延出され、ブラケットベース６７の下面に設けられたクリップ保持スリット６７Ｂに挿入される。
【００６０】  クリップ８１は、ワイヤホルダ４７をブラケットベース６７に装着する際には、ホルダスロット６７Ｆの開口面が解放されるように、図２１に示すように、端部を押し下げることができる。この時、クリップ８１の先端部を、図２１に示すように、ブラケットベース６７の表面下部に係止させる。これにより、クリップ８１に対して操作をすることなく、ワイヤホルダ４７をホルダスロット６７Ｆに挿入させる作業を簡単にすることができる。
【００６１】  ワイヤホルダ４７をホルダスロット６７Ｆに装着させた後、図２２に示すように、クリップ８１の先端部をワイヤホルダ４７の表面に圧接させる。これにより、ワイヤホルダ４７とブラケットベース６７とを固定状態にすることができる。クリップ８１を用いた場合、ワイヤホルダ４７の表面の何れの位置にクリップ８１の先端が圧接されていても固定状態が維持される。このため、ワイヤホルダ４７の装着後にクリップ８１に対して負荷が与えられて多少の位置ずれが生じたとしても、安定して固定状態を維持することができる。また、ワイヤホルダ４７をホルダスロット６７Ｆから外す場合、前述したように、クリップ８１は、図２１に示す状態にされる。この状態においてワイヤホルダ４７をホルダスロット６７Ｆから簡単に取り出す作業をすることができる。
【００６２】  このように、第３変形例の歯列矯正用ブラケット１０７は、ワイヤホルダ４７を用いることにより前述した基本構成の歯列矯正用ブラケット１００と同様の作用効果を有する。さらに、歯列矯正用ブラケット１０７は、弾性変形可能な部材で形成されたクリップ８１を用いることで、ブラケットベース６７に装着されたワイヤホルダ４７を簡単な作業により安定して固定状態にすることができる。
【００６３】  （第４変形例）    次に、本発明の第４変形例に係る歯列矯正用ブラケット１０８について、図２４、図２５、図２６、図２７を参照して説明する。図２４は、第４変形例に係る歯列矯正用ブラケット１０８を構成するワイヤホルダ４８とブラケットベース６８とクリップ８２Ａ，８２Ｂの外観を示す斜視図、図２５は、歯列矯正用ブラケット１０８の外観を示す斜視図、図２６は、図２５における歯列矯正用ブラケット１０８の側面図、図２７は、図２５に示す歯列矯正用ブラケット１０８の正面図である。なお、図１〜図１４に示す基本構成と同じ構成部分については、同じ名称を付して説明を省略する。
【００６４】  第４変形例における歯列矯正用ブラケット１０８は、ワイヤホルダ４８とブラケットベース６８と２つのクリップ８２Ａ，８２Ｂを有する。ワイヤホルダ４８は、歯列矯正用のアーチワイヤ２０を挿通させるワイヤホール４８Ａを備える。ワイヤホルダ４８は、基本構成のワイヤホルダ４１と同様に構成される。また、ブラケットベース６８には、ホルダスロット６８Ｆが設けられる。第４変形例では、ホルダスロット６８Ｆの両側面を解放した構造にしている。また、ホルダスロット６８Ｆの横方向のサイズは、ワイヤホルダ４８の横方向のサイズより小さくしている。また、ブラケットベース６８の両側面の裏面側近傍には、縦方向にクリップ装着板６８Ｂａが形成されている。
【００６５】  クリップ８２Ａ，８２Ｂは、図２４〜図２６に示すように、外形状が略Ｃ字形状をしており、解放されている側を表面側となるようにブラケットベース６８に装着される。クリップ８２Ａ，８２Ｂの外形状は、ブラケットベース６８の外形状に合わせて形成されており、ブラケットベース６８の上下面と裏面に相当する部分が略直線状に形成される。クリップ８２Ａ，８２Ｂの上下面と相当する部分には、裏面に相当する部分の近傍に板保持部材８２Ａａ，８２Ａｂが形成される。板保持部材８２Ａａは、クリップ８２Ａ，８２Ｂの上面と相当する部分から、裏面に相当する部分とクリップ装着板６８Ｂａの板厚分の間隔を空けて、下方向に向けて延出されて形成される。板保持部材８２Ａｂは、クリップ８２Ａ，８２Ｂの下面と相当する部分から、裏面に相当する部分とクリップ装着板６８Ｂａの板厚分の間隔を空けて、上方向に向けて延出されて形成される。なお、クリップ８２Ｂの詳細な構成については図示していないが、クリップ８２Ａと同様に形成されるものとして説明を省略する。
【００６６】  ワイヤホルダ４８をブラケットベース６８に装着する際には、クリップ８２Ａ，８２Ｂは外された状態にされる。ワイヤホルダ４８をホルダスロット６８Ｆに装着させた後、ブラケットベース６８の両側面側よりそれぞれクリップ８２Ａ，８２Ｂを装着する。クリップ８２Ａは、裏面に相当する部分と板保持部材８２Ａａ，８２Ａｂとの間に、図２６に示すように、クリップ装着板６８Ｂａを挟み込むことで、ブラケットベース６８に装着させることができる。なお、クリップ８２Ｂも同様に装着される。
【００６７】  また、クリップ８２Ａの先端部８２Ａｃ，８２Ａｄは、図２５〜図２７に示すように、ワイヤホルダ４８の表面にそれぞれ圧接する。これにより、ワイヤホルダ４８とブラケットベース６８とを固定状態にすることができる。
【００６８】  なお、図２４〜図２７では、ブラケットベース６８の両側面において２つのクリップ８２Ａ，８２Ｂを用いて、ワイヤホルダ４８を固定しているが、何れか一方を用いて固定することも可能である。
【００６９】  このように、第４変形例の歯列矯正用ブラケット１０８は、ワイヤホルダ４８を用いることにより前述した基本構成の歯列矯正用ブラケット１００と同様の作用効果を有する。さらに、歯列矯正用ブラケット１０８は、クリップ８２Ａ，８２Ｂを用いることで、ブラケットベース６８の側面においてワイヤホルダ４８を簡単に固定状態にすることができる。
【００７０】  （第５変形例）    次に、本発明の第５変形例に係る歯列矯正用ブラケット１１０について、図２８、図２９を参照して説明する。図２８は、第５変形例に係る歯列矯正用ブラケット１１０を構成するワイヤホルダ５０とブラケットベース７０の外観を示す斜視図、図２９は、歯列矯正用ブラケット１１０の外観を示す斜視図である。なお、図１〜図１４に示す基本構成と同じ構成部分については、同じ名称を付して説明を省略する。
【００７１】  第５変形例における歯列矯正用ブラケット１１０は、ワイヤホルダ５０とブラケットベース７０とを有する。ワイヤホルダ５０は、歯列矯正用のアーチワイヤ２０を挿通させるワイヤホール５０Ａを備える。ブラケットベース７０には、表面に一対のウイング７０Ａ，７０Ｂが形成される。ウイング７０Ａ，７０Ｂは、ワイヤホルダ５０を保持するためのホルダ７０Ａａ，７０Ｂａを形成するとともに、ホルダに保持されたワイヤホルダ５０を固定するための結紮用ワイヤ（あるいは結紮用ゴム）８３を引っ掛けるための結紮部７０Ａｂ，７０Ａｃ，７０Ｂｂ，７０Ｂｃが形成される。ウイング７０Ａ，７０Ｂは、ブラケットベース７０の基台部から延びている。
【００７２】  図２８及び図２９に示すように、ウイング７０Ａは、基台から伸びる２本の結紮部７０Ａｂ，７０Ａｃの間に、ワイヤホルダ５０の外形状に合わせたホルダ７０Ａａを形成する。同じく、ウイング７０Ｂは、基台から伸びる２本の結紮部７０Ｂｂ，７０Ｂｃの間に、ワイヤホルダ５０の外形状に合わせたホルダ７０Ｂａを形成する。一対のウイング７０Ａ，７０Ｂを離間させて設けることで、ホルダ７０Ａａ，７０Ｂａによりワイヤホルダ５０を安定して保持することができる。
【００７３】  結紮用ワイヤ（あるいは結紮用ゴム）８３は、図２９に示すように、ワイヤホルダ５０の表面から結紮部７０Ａｂ，７０Ａｃ，７０Ｂｂ，７０Ｂｃの裏面を通して結紮することで、ホルダ７０Ａａ，７０Ｂａに保持されたワイヤホルダ５０を固定状態にすることができる。
【００７４】  このように、第５変形例の歯列矯正用ブラケット１１０は、ワイヤホルダ５０を用いることにより前述した基本構成の歯列矯正用ブラケット１００と同様の作用効果を有する。さらに、歯列矯正用ブラケット１１０は、従来から使用されている結紮の技術を用いてワイヤホルダ５０を固定することができる。歯列矯正用ブラケット１１０では、アーチワイヤ２０をワイヤホルダ５０のワイヤホール５０Ａに挿通させることで保持されているので、結紮の技術を用いても、セルフライゲーションブラケットの特徴を持つことができる。
【００７５】  （第６変形例）    次に、本発明の第６変形例に係る歯列矯正用ブラケット１１１について、図３０、図３１、図３２を参照して説明する。図３０は、第６変形例に係る歯列矯正用ブラケット１１１を構成するワイヤホルダ５１とブラケットベース７１の外観を示す斜視図、図３１は、歯列矯正用ブラケット１１１の外観を示す斜視図、図３２は、図３１におけるＬ−Ｌ線における歯列矯正用ブラケット１１１の断面図である。なお、図１〜図１４に示す基本構成と同じ構成部分については、同じ名称を付して説明を省略する。
【００７６】  第６変形例の歯列矯正用ブラケット１１１において、ワイヤホルダ５１のブラケットベース７１に対する装着／脱着は、ワイヤホルダ５１の変形により実現される。これは、第１変形例の歯列矯正用ブラケット１０１と同様である。第１変形例との間の差異は、ワイヤホルダ５１をブラケットベース７１に固定するための固定構造と、ワイヤホルダ５１のブラケットベース７１に対する装着／脱着するための構造とにある。
【００７７】  第６変形例における歯列矯正用ブラケット１１１は、ワイヤホルダ５１とブラケットベース７１とを有する。ワイヤホルダ５１は、弾性変形するように、例えばプラスチック（合成樹脂）により形成される。一方、ブラケットベース７１は、ワイヤホルダ５１の脱着時に変形させる必要がないため、例えばセラミックにより形成することができる。
【００７８】  ワイヤホルダ５１は、表面形状が矩形状、横断面（ワイヤホール５１Ａの軸方向に直交する面）形状が台形状のブロック体である。ブラケットベース７１は、直方体形状のブロック体であり、その表面にはワイヤホルダ５１の形状に整合する形状の凹形状のホルダスロット７１Ｆが形成されている。ホルダスロット７１Ｆの内側の上面と下面とは底面側に向かって内側に傾斜している。
【００７９】  ワイヤホルダ５１をブラケットベース７１に固定するために、ワイヤホルダ５１には係止突起５１Ｂａ，５１Ｂｂが設けられ、ブラケットベース７１には係止溝７１Ｂａ、７１Ｂｂが設けられる。係止突起５１Ｂａ，５１Ｂｂは、それぞれワイヤホルダ５１の上面と下面とに横方向全体に渡って設けられる。係止突起５１Ｂａ，５１Ｂｂは、断面三角形状の線状の突起であり、ワイヤホルダ５１の厚み略中央の位置から底面に向かって傾斜している。係止溝７１Ｂａ，７１Ｂｂは、それぞれホルダスロット７１Ｆの内側の上面と下面とに横方向全体に渡って設けられる。係止溝７１Ｂａ，７１Ｂｂは、係止突起５１Ｂａ，５１Ｂｂの断面形状と整合する断面形状の溝であり、ホルダスロット７１Ｆの内側の奥行方向の略中央の位置から最奥部にかけて設けられる。
【００８０】  また、ワイヤホルダ５１をホルダスロット７１Ｆに装着する際、ワイヤホルダ５１が弾性変形させるために、ワイヤホルダ５１にはスロット５１Ｃａ，５１Ｃｂが設けられ、ホルダスロット７１Ｆに固定されたワイヤホルダ５１をホルダスロット７１Ｆから脱着するために、ブラケットベース７１には貫通溝（プライヤーガイドスロット）７１Ｇａ，７１Ｇｂが設けられる。
【００８１】  スロット５１Ｃａ，Ｃｂは、ワイヤホルダ５１の裏面（底面）から表面に向かって切り込まれた同幅の空隙であり、ワイヤホルダ５１の横方向全体に渡って形成されている。スロット５１Ｃａは、ワイヤホール５１Ａとワイヤホルダ５１の上面との間の略中央に、上面と平行に形成され、スロット５１Ｃｂは、ワイヤホール５１Ａとワイヤホルダ５１の下面との間の略中央に下面と平行に形成される。スロット５１Ｃａ．５１Ｃｂは、典型的にはワイヤホール５１Ａの幅と略等価な幅に形成され、ワイヤホルダ５１の裏面からワイヤホール５１Ａの内側のワイヤホルダ５１の表面側の面までの深さに形成される。このようにスロット５１Ｃａ，５１Ｃｂを形成し、ブラケットベース７１の両側面のワイヤガイド７１Ｅの横幅をワイヤホルダ５１の最大幅よりも若干狭く形成することで、図３１、図３２に示すように、ワイヤホルダ５１がブラケットベース７１に装着された状態で、スロット５１Ｃａ，５１Ｃｂは、ワイヤガイド７１Ｅの底縁とともにアーチワイヤ２０を挿通する他のワイヤホールを構成することも可能である。このように、ワイヤホール５１Ａとは別のワイヤホールが設けられることで、歯列矯正用ブラケット１１１を歯面に貼着した状態で、アーチワイヤ２０を挿通する位置を変更することができ、歯列にかける矯正力の向き、強さを容易に変更することができる。
【００８２】  ブラケットベース７１のプライヤーガイドスロット７１Ｇａ，７１Ｇｂは、それぞれ上下の側壁の表面の幅中央に設けられ、上下の側壁をその垂直方向に貫通した凹形状の溝である。その溝の深さは、ワイヤホルダ５１の厚みに等価又はワイヤホルダ５１の厚みよりも若干短い。
【００８３】  スロット５１Ｃａ，５１Ｃｂをワイヤホルダ５１に形成することにより、ワイヤホルダ５１をホルダスロット７１Ｆに位置合わせし、押し込むだけでブラケットベース７１にワイヤホルダ５１を装着することができる。このとき、ワイヤホルダ５１は、ホルダスロット７１Ｆの内面に圧接されることで、スロット５１Ｃａ，５１Ｃｂが塞がり、ワイヤホルダ５１が背面側に少しだけアーチ状に湾曲するように変形される。それによりワイヤホルダ５１の背面の幅が狭くなり、ホルダスロット７１Ｆに対するワイヤホルダ５１の挿抜が促進され得る。スロット５１Ｃａ，５１Ｃｂが形成された位置において、ワイヤホルダ５１の幅が薄くなる。それによりワイヤホルダ５１をブラケットベース７１に強固に装着しながらも、ワイヤホルダ５１をホルダスロット７１Ｆに容易に挿入し、また抜くことが可能となる。ワイヤホルダ５１がホルダスロット７１Ｆの最奥に到達した時、ワイヤホルダ５１が湾曲状態から定常状態に復元する復元力により、ホルダスロット７１Ｆに設けられた係止溝７１Ｂａ，７１Ｂｂにワイヤホルダ５１の係止突起５１Ｂａ，５１Ｂｂが自動的に挿入され、ワイヤホルダ５１とブラケットベース７１とを固定状態にする。歯科医師は係止突起５１Ｂａ，５１Ｂｂが係止溝７１Ｂａ，７１Ｂｂに嵌めこまれることに伴うクリック感、音によりワイヤホルダ５１がブラケットベース７１に固定されたことを確認する事が可能である。
【００８４】  ブラケットベース７１からワイヤホルダ５１を脱着する際には、プライヤーのクリップ先端に取り付けられた細いロッドをプライヤーガイドスロット７１Ｇａ，７１Ｇｂに挿通し、ワイヤホルダ５１を上下から押圧し、その切り込み（スロット）５１Ｃａ，５１Ｃｂを塞ぐようにワイヤホルダ５１の厚みを若干薄く変形させる。これにより、係止突起５１Ｂａ、５１Ｂｂが係止溝７１Ｂａ，７１Ｂｂから外れる。この状態でワイヤホルダ５１をホルダスロット７１Ｆから前方に引き出すことができる。
【００８５】  なお、図３０、図３２に示すワイヤホルダ５１には、２つのスロット５１Ｃａ，５１Ｃｂを設ける構成としているが、ワイヤホルダ５１に対して上下方向に力を加えることでワイヤホルダ５１が変形可能であれば、１つのスロット、あるいは３つ以上のスロットを設けることも可能である。また、スロットの幅（表面開口部の幅）を変更することでワイヤホルダ５１の変形量を調整することができ、スロット５１Ｃａ，５１Ｃｂは、ワイヤホール５１Ａの幅と異なっていてもよいし、互いに異なる幅であってもよい。また、スロット５１Ｃａ，５１Ｃｂは奥行方向に渡って同幅としているが、スロットの奥行方向に向かってテーパー状に広がる形状であってもよい。また、スロット５１Ｃａ，５１Ｃｂは、ワイヤホルダ５１の変形量に応じて、その深さが少なくともワイヤホルダ５１の奥行き（厚み）の１／３超あればよく、ワイヤガイド７１Ｅの低縁から上部に露出していなくてもよい。また、スロット５１Ｃａ，５１Ｃｂはワイヤホルダ５１の上面と平行とする向きに形成しているが、少なくとも一方をワイヤホルダ５１の上面に対して斜め方向又は直交する方向に形成することも可能である。
【００８６】  係止突起５１Ｂａ，５１Ｂｂは、ワイヤホルダ５１の横方向全体に渡って設けられるとしたが、ワイヤホルダ５１の横方向の一部に設けられていればよい。これに合わせて、係止溝７１Ｂａ，７１Ｂｂはホルダスロット７１Ｆの内側の上面と下面とに横方向の一部、ホルダスロット７１Ｆに装着されたワイヤホルダ５１の係止突起５１Ｂａ、５１Ｂｂに対応する位置に設けられる。
【００８７】  このようにして、第６変形例の歯列矯正用ブラケット１１１は、ワイヤホルダ５１を用いることにより、前述した基本構成の歯列矯正用ブラケット１００と同様の作用効果を有する。また、第６変形例の歯列矯正用ブラケット１１１では、ワイヤホルダ５１を変形させることで、ブラケットベース７１に対して容易に挿入することができ、またブラケットベース７１に対して負荷を与えなくて済む。さらに、ワイヤホルダ５１をホルダスロット７１Ｆに圧接するだけでワイヤホルダ５１をブラケットベース７１に装着することができる。これにより、口腔内の狭い作業環境においても、ワイヤホルダ５１をブラケットベース７１に装着させる作業は容易であり、施術時間を短縮することができる。また、第１変形例のように、ブラケットベース６１をワイヤホルダ４１で覆う固定構造ではなく、ホルダスロット７１Ｆの内側でワイヤホルダ５１を固定する固定構造であるため、ブラケット自体を小型化することができる。さらに、第６変形例の歯列矯正用ブラケット１１１では、スロット５１Ｃａ，５１Ｃｂが裏面から表面に向かって形成されているため、正面からスロット５１Ｃａ、５１Ｃｂが見えない。そのため、審美性が損なわれない。
【００８８】  なお、複数のワイヤホルダ５１が弾性体で結合されていてもよい。例えば、図３３、図３４に示すように、ワイヤホルダ５１と他のワイヤホルダ５１とがゴム５１Ｈにより結合される。ゴム５１Ｈは、図３５に示すように、その一端がワイヤホルダ５１の表面に接着剤により接着され、他端が他のワイヤホルダ５１の表面に接着剤により接着される。また、ゴム５１Ｈは、その一端がワイヤホルダ５１の側面に接着され、他端が他のワイヤホルダ５１の側面に接着されていてもよい。さらに、ゴム５１Ｈは、接着剤によりワイヤホルダ５１に接着されるのではなく、ワイヤホルダ５１に一体成型されていてもよい。
【００８９】  ゴム５１Ｈの長さは、隣接する２つの歯のそれぞれに対して、互いに接近する方向の矯正力をかけるのか、互いに離反する方向の矯正力をかけるのかに応じて調整される。長さが２つの歯にそれぞれ装着されたブラケットベース７１の間の距離よりも短いゴム５１Ｈを用い、ゴム５１Ｈを伸張した状態で、ワイヤホルダ対１１２を構成する２つのワイヤホルダ５１はそれぞれブラケットベース７１に装着することで、ゴム５１Ｈの復元力により、隣接する２つの歯のそれぞれに互いに接近する方向の矯正力をかけることができる。同様に、長さが２つの歯にそれぞれ装着されたブラケットベース７１の間の距離よりも長いゴム５１Ｈを用い、ゴム５１Ｈを収縮した状態で、ワイヤホルダ対１１２を構成する２つのワイヤホルダ５１はそれぞれブラケットベース７１に装着することで、ゴム５１Ｈの復元力により、隣接する２つの歯のそれぞれに互いに離反する方向の矯正力をかけることができる  このように、ゴム５１Ｈで結合されたワイヤホルダ対１１２を歯列矯正に使用することで、アーチワイヤ２０だけでは矯正力が不足する場合に、その不足分をゴム５１Ｈの復元力で補うことができ、治療時間の短縮することができる。なお、ゴム５１Ｈは、他の弾性体、例えば巻バネであってもよい。ゴム５１Ｈの代わりに巻バネを用いた場合、巻バネの長さに応じて、具体的には、巻バネの長さが隣接する２つの歯にそれぞれ装着されたブラケットベース７１の間の距離よりも短い場合、２つの歯のそれぞれに互いに接近する方向の矯正力をかけることができる。同様に、巻バネの長さが隣接する２つの歯にそれぞれ装着されたブラケットベース７１の間の距離よりも長い場合、２つの歯のそれぞれに互いに離反する方向の矯正力をかけることができる。
【００９０】  （第７変形例）    次に、本発明の第７変形例に係る歯列矯正用ブラケット１１５について、図３６、図３７、図３８、図３９を参照して説明する。図３６は、第７変形例に係る歯列矯正用ブラケット１１５を構成するワイヤホルダ５５とブラケットベース７５の外観を示す斜視図、図３７は、歯列矯正用ブラケット１１５の外観を示す斜視図、図３８は、図３７におけるＰ−Ｐ線における歯列矯正用ブラケット１１５の断面図である。図３９は、図３７におけるＰ−Ｐ線における歯列矯正用ブラケット１１５の他の断面図である。第６変形例の歯列矯正用ブラケット１１１と同様に、第７変形例の歯列矯正用ブラケット１１５において、ワイヤホルダ５５のブラケットベース７５に対する装着／脱着は、ワイヤホルダ５５の変形により実現される。第７変形例の歯列矯正用ブラケット１１５は、第６変形例の歯列矯正用ブラケット１１１のワイヤホルダ５１に裏面に設けられるスロット５１Ｃａ，５１Ｃｂが表面に設けられるものであり、その他については基本的に第６変形例の歯列矯正用ブラケット１１１と同様の構成を有する。
【００９１】  ワイヤホルダ５５には、ワイヤホール５５Ａ、ワイヤ取付スロット（取付溝）５５Ｂａ，５５Ｂｂが設けられる。これらの構成は、第２変形例のワイヤホルダ４２と同様である。また、ワイヤホルダ５５には、スロット５５Ｃａがワイヤホール５５Ａとワイヤホルダ５５の上面との間、上面寄りの表面に形成されている。また、スロット５５Ｃｂはワイヤホール５５Ａとワイヤホルダ５５の下面との間、下面寄りの表面に形成されている。このスロット５５Ｃａ，５５Ｃｂは横方向全体に渡って形成されている。スロット５５Ｃａ，５５Ｃは、ワイヤホルダ５５の表面から奥（裏面）に向かって、少なくとも奥行き（厚み）の１／２超であって４／５又は２／３未満の深度、例えば取付スロット５５Ｂａ，５５Ｂｂが設けられた深さ、あるいはさらに深い位置まで到達する切り込み（空隙）である。例えば、スロット５５Ｃａ，５５Ｃｂの空隙は、例えば、図３６、図３７に示すように、ワイヤホルダ５５の上面と平行となる向きに形成される。
【００９２】  さらに、ワイヤホルダ５５には、プライヤーのクリップ先端を受ける受け部５５Ｇａ，５５Ｇｂが設けられている。プライヤー受け部５５Ｇａ，５５Ｇｂとして、ワイヤホルダ５５の上面と下面とに、それぞれ窪みが形成される。ワイヤホルダ５５がブラケットベース７５に装着された状態で、プライヤー受け部５５Ｇａ，５５Ｇｂは、それぞれブラケットベース７５の貫通孔７５Ｇａ，７５Ｇｂと連続するプライヤー挿入孔を構成する。
【００９３】  ワイヤホルダ５５をブラケットベース７５から取り外す場合には、このプライヤー挿入孔に専用の押し出し具を挿入し、ワイヤホルダ５５に対して上下方向から力を加えることで、スロット５５Ｃａ，５５Ｃｂが塞がるようワイヤホルダ５４を若干薄く変形させる。これにより、取付スロット５５Ｂａ，５５Ｂｂが係止突起７５Ｂａ，７５Ｂｂから外れる。この状態でワイヤホルダ５５をホルダスロット７５Ｆから引き出すことで、係止突起７５Ｂａ，７５Ｂｂと取付スロット５５Ｂａ，５５Ｂｂとによる固定状態を外すことができる。
【００９４】  ブラケットベース７５には、係止突起（線状突起）７５Ｂａ，７５Ｂｂ、溝部７５Ｃ，７５Ｄ、ワイヤガイド７５Ｅ、ホルダスロット７５Ｆが設けられる。これらの構成は、第２変形例のブラケットベース６２と同様である。なお、第７変形例の歯列矯正用ブラケット１１１では、第２変形例の歯列矯正用ブラケット１０２における延出部６２Ｇａ，６２Ｇｂが省かれている。    また、ブラケットベース７５にはその上側壁をその垂直方向に貫通する貫通孔（プライヤーガイドホール）７５Ｇａが幅中央に設けられる。同様に、ブラケットベース７５にはその下側壁をその垂直方向に貫通する貫通孔７５Ｇｂが幅中央に設けられる。
【００９５】  貫通孔７５Ｇａ，７５Ｇｂが形成される位置は、深度方向に関して、ブラケットベース７５の表面から、ワイヤホルダ５５がブラケットベース７５に装着された状態で、ワイヤホルダ５５の切り込み（スロット）５５Ｃａ，５５Ｃｂの切り込みの深さまでの範囲の中ほどの位置である。
【００９６】  ブラケットベース７５からワイヤホルダ５５を取り外すには、プライヤーのクリップ先端に取り付けられた細いロッドを貫通孔７５Ｇａ、７５Ｇｂに挿通し、ワイヤホルダ５４を上下から押圧し、その切り込み（スロット）５５Ｃａ，５５Ｃｂを塞ぐようにワイヤホルダ５４をその厚みを若干薄く変形させることにより、線状突起７５Ｂａ，７５Ｂｂをワイヤ取付スロット（取付溝）５５Ｂａ，５５Ｂｂから外し前方に引き出すことによりなされる。
【００９７】  このようにして、第７変形例の歯列矯正用ブラケット１１５は、前述した基本構成の歯列矯正用ブラケット１００と同様の作用効果を有する。さらに、スロット５５Ｃａ，５５Ｃｂがワイヤホルダ５５の表面に設けることは、ワイヤホルダ５５のブラケットベース７５への装着を目視で確認することを容易にする。
【００９８】  なお、図３９に示すように、ブラケットベース７５に歯列矯正用のアーチワイヤ２０を挿通させる少なくとも一つのワイヤホール７５Ｈを設けてもよい。ワイヤホール７５Ａは、ワイヤホルダ５５のワイヤホール５５Ａと同一の断面形状と同一の断面寸法であってもよいし、ワイヤホール５５Ａとの断面形状と断面寸法とのうち少なくとも一方が異なっていてもよい。このように、ワイヤホルダ５５のワイヤホール５５Ａとは別に、ブラケットベース７５にワイヤホール７５Ｈを設けることで、歯列矯正に、例えば複数のアーチワイヤを使用して矯正力等を複数の方向に複雑にかけることができる。
【００９９】  本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１００】  １００…歯列矯正用ブラケット、２０…アーチワイヤ、４０…ワイヤホルダ、４１Ａ…ワイヤホール、６０…ブラケットベース、６１Ｆ…ホルダスロット。
【図１】
2017110831.tif 000003
【図２】
2017110831.tif 000004
【図３】
2017110831.tif 000005
【図４】
2017110831.tif 000006
【図５】
2017110831.tif 000007
【図６】
2017110831.tif 000008
【図７】
2017110831.tif 000009
【図８】
2017110831.tif 000010
【図９】
2017110831.tif 000011
【図１０】
2017110831.tif 000012
【図１１】
2017110831.tif 000013
【図１２】
2017110831.tif 000014
【図１３】
2017110831.tif 000015
【図１４】
2017110831.tif 000016
【図１５】
2017110831.tif 000017
【図１６】
2017110831.tif 000018
【図１７】
2017110831.tif 000019
【図１８】
2017110831.tif 000020
【図１９】
2017110831.tif 000021
【図２０】
2017110831.tif 000022
【図２１】
2017110831.tif 000023
【図２２】
2017110831.tif 000024
【図２３】
2017110831.tif 000025
【図２４】
2017110831.tif 000026
【図２５】
2017110831.tif 000027
【図２６】
2017110831.tif 000028
【図２７】
2017110831.tif 000029
【図２８】
2017110831.tif 000030
【図２９】
2017110831.tif 000031
【図３０】
2017110831.tif 000032
【図３１】
2017110831.tif 000033
【図３２】
2017110831.tif 000034
【図３３】
2017110831.tif 000035
【図３４】
2017110831.tif 000036
【図３５】
2017110831.tif 000037
【図３６】
2017110831.tif 000038
【図３７】
2017110831.tif 000039
【図３８】
2017110831.tif 000040
【図３９】
2017110831.tif 000041
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
患者の歯列を矯正するために用いられる歯列矯正用ブラケットにおいて、
歯列矯正用のアーチワイヤを挿通させる少なくとも一つの貫通孔を備えたワイヤホルダと、
前記ワイヤホルダを着脱可能に支持し、前記患者の歯面に貼着されるブラケットベースとを具備し、
前記ブラケットベースには、前記ワイヤホルダが嵌め込まれるホルダスロットが設けられ、
前記ワイヤホルダには、前記ワイヤホルダを湾曲させ、前記ブラケットベースの前記ホルダスロットに対する前記ワイヤホルダの挿抜を促進するために裏面から表面に向かって少なくとも１本の切り込みが前記貫通孔と平行に形成されることを特徴とする歯列矯正用ブラケット。
【請求項２】
前記ワイヤホルダは、四角錐台形状であることを特徴とする請求項１記載の歯列矯正用ブラケット。
【請求項３】
前記ワイヤホルダの横断面形状は台形であることを特徴とする請求項２記載の歯列矯正用ブラケット。
【請求項４】
前記ブラケットベースには前記ワイヤホルダが嵌め込まれるホルダスロットが設けられ、
前記ワイヤホルダの側面には横方向に線状突起と溝部との一方が形成され、前記ブラケットベースの前記ホルダスロットの内面には横方向にわたって線状突起と溝部との他方が形成され、前記線状突起が前記溝部に嵌め込まれることにより、前記ワイヤホルダが前記ブラケットベースに結合されることを特徴とする請求項１記載の歯列矯正用ブラケット。
【請求項５】
（削除）
【請求項６】
前記ブラケットベースには前記ワイヤホルダが嵌め込まれるホルダスロットが設けられ、前記ワイヤホルダの高さは前記ブラケットベースの前記ホルダスロットのホルダ収納部の深さと実質的に等価であることを特徴とする請求項１記載の歯列矯正用ブラケット。
【請求項７】
前記ワイヤホルダは他のワイヤホルダと弾性体により結合されてなることを特徴とする請求項１記載の歯列矯正用ブラケット。
【請求項８】
前記弾性体はゴム又はバネであることを特徴とする請求項７記載の歯列矯正用ブラケット。
【請求項９】
歯列矯正用のアーチワイヤを挿通させる少なくとも一つの貫通孔を備えたワイヤホルダとともに歯列矯正用ブラケットを構成するブラケットベースにおいて、
前記ワイヤホルダが表面側から嵌め込まれる四角錐台形状のホルダスロットを備え、患者の歯面に裏面が貼着されることを特徴とするブラケットベース。
【請求項１０】
（削除）
【請求項１１】
患者の歯列を矯正するために用いられる歯列矯正用ブラケットにおいて、
歯列矯正用のアーチワイヤを挿通させる少なくとも一つの貫通孔を備えたワイヤホルダと、
前記ワイヤホルダが表面側から嵌め込まれるホルダスロットを有し、前記患者の歯面に裏面が貼着されるブラケットベースとを具備することを特徴とする歯列矯正用ブラケット。
【国際調査報告】
2017110831.tif 000042
2017110831.tif 000043
2017110831.tif 000044
2017110831.tif 000045